(57)【要約】【課題】キーキャップをキートップに取り付ける際には、キーステッカーを脱落させることなく容易に取り付けができるようにする。【解決手段】操作面部２に配設されるキートップ４と、このキートップ４に被せられるキーキャップ５と、このキーキャップ５の天井面とキートップ４の上面部との間に介在され、キー機能を表示するキーステッカー６とを具備し、キーキャップ５の内側面部にキーステッカー６を保持するための保持爪１５を設ける。【選択図】図１
2012048965.tif 000002
【特許請求の範囲】
【請求項１】
操作面部に配設されるキートップと、
このキートップに被せられるキーキャップと、
このキーキャップの天井面と前記キートップ部の上面部との間に介在され、キー機能を表示するキーステッカとを具備し、
前記キーキャップの内側面部に前記キーステッカを保持するための保持部を設けたことを特徴とするキーボード装置。
【請求項２】
前記保持部は突状をなし、その上端面部と前記キーキャップの天井面との間に前記キーステッカの側緑部を嵌め込ませて保持することを特徴とする請求項１記載のキーボード装置。
【請求項３】
前記キーキャップは天板と４面の側壁を有してなり、
前記保持部は前記キーキャップの２面の側壁の内面部にそれぞれ設けられたことを特徴とする請求項１または２記載のキーボード装置。
【請求項４】
前記２面の側壁は、互いに対向することを特徴とする請求項３記載のキーボード装置。
【請求項５】
操作面部に配設されるキートップと、
このキートップに被せられるキーキャップと、
このキーキャップの天井面と前記キートップ部の上面部との間に介在され、キー機能を表示するキーステッカーとを具備し、
前記キーキャップの側壁上部側にスリットを設けたことを特徴とするキーボード装置。
【請求項６】
前記スリットは、前記キーステッカを排出させるとともに、指先を係止させる開口量を有することを特徴とする請求項５記載のキーボード装置。
【発明の詳細な説明】
【技術分野】
【０００１】
本発明の実施形態は、例えば、商品登録処理装置に適用されるキーボード装置に関する。
【背景技術】
【０００２】
キーボード装置は、その操作面部に多数個の操作キーを配設している。操作キーはキートップ部とこのキートップ部を覆う透明なキーキャップとを有している。キーキャップの下端部は、操作面部を構成する外観カバー面とほぼ同一、もしくは低位に位置されている。透明なキーキャップ内には、操作キーの機能を表示するためのキーステッカーが設けられている。
【先行技術文献】
【特許文献】
【０００３】
【特許文献１】特開２００２−２８９０５８号公報
【発明の概要】
【発明が解決しようとする課題】
【０００４】
しかしながら、上記したキーボードでは、キーステッカーを入れたキーキャップをキートップに取り付ける際に、キーステッカーが脱落し、また、取り外したキーキャップからキーステッカーを取り出そうとしても、静電気で付着して容易に取り出すことが出来ないという問題が依然残ったままであった。
【０００５】
本発明の実施の形態は、上記事情に着目してなされたもので、その目的とするところは、キーキャップをキートップに取り付ける際にはキーステッカーが脱落せずに容易に取り付けができ、また、キーキャップの取り外し、及びキーステッカーの取り外しが容易にできるキーボード装置を提供しようとするものである。
【課題を解決するための手段】
【０００６】
上記の課題を解決するために、請求項１記載のものは、操作面部に配設されるキートップと、このキートップに被せられるキーキャップと、このキーキャップの天井面と前記キートップ部の上面部との間に介在され、キー機能を表示するキーステッカーとを具備し、前記キーキャップの内側面部に前記キーステッカーを保持するための保持部を設けたことを特徴とする。
【０００７】
請求項５記載のものは、操作面部に配設されるキートップと、このキートップに被せられるキーキャップと、このキーキャップの天井面と前記キートップ部の上面部との間に介在され、キー機能を表示するキーステッカーとを具備し、前記キーキャップの側壁上部側にスリットを設けたことを特徴とする。
【図面の簡単な説明】
【０００８】
【図１】本発明の一実施の形態である商品登録処理装置を示す斜視図。
【図２】図１のＡ部を拡大して示す図。
【図３】図２の操作キーを示す構成図。
【図４】図３のキーキャップを示す斜視図。
【図５】図４のキーキャップを逆さまにして示す斜視図。
【図６】図５のキーキャップを異なる角度から示す斜視図。
【図７】図４のキーキャップを示す平面図。
【図８】図７のキーキャップを示す正面図。
【図９】図７のキーキャップを示す側面図。
【図１０】図７のキーキャップを示す下面図。
【図１１】キーキャップを成形する成形金型を示す構成図。
【図１２】図１１の成形金型を異なる角度から示す構成図。
【図１３】キーキャップにキーステッカーを取り付ける状態を示す図。
【図１４】キーキャップからキーステッカーを取り外す状態を示す図。
【発明を実施するための形態】
【０００９】
以下、本発明の実施の形態を図面を参照して詳細に説明する。
【００１０】
図１は、商品登録処理装置を示す外観斜視図で、その装置本体１の上面部には操作面部２が設けられている。この操作面部２には図２にも拡大して示すように所定間隔を存して多数個の操作キー３が配置されている。
【００１１】
図３は、操作キー３を示す構成図である。
【００１２】
操作キー３は操作面部２から上方へ突出するキートップ４を備え、このキートップ４は透明なキーキャップ５によって覆われている。キートップ４の上面部とキーキャップ５の天井面との間には、操作キー３の機能を表示するためのキーステッカー６が介在されている。
【００１３】
図４は、上記したキーキャップ５を示す斜視図で、図５は、図４のキーキャップ５を逆さまにした状態で示す斜視図である。図６は、図５を１８０度回転した状態を示す斜視図である。図７はキーキャップ５を示す平面図で、図８はその正面図、図９はその一側面図、図１０はその下面図である。
【００１４】
キーキャップ５は、天板部８と、正面板９と、背面板１０と、両側板１１，１２とから構成されている。正面板９の上部側には、スリット１４が形成されている。このスリット１４の幅寸法ｌ（図８に示す）は、キーステッカー６の幅寸法よりもやや大きく、縦寸法ｈは指先が引っ掛かる程度の寸法になっている。
【００１５】
キーキャップ５の両側板１１，１２の内面側の中央部には、図５、図６に示すようにキーステッカーを保持するための保持爪（保持部）１５がそれぞれ一体的に突設されている。また、キーキャップ５の両側板１１，１２の上部側には穴部１７が形成されている。この穴部１７は、保持爪１５を形成するために後述するように成形金型２１のキャビティ２６内に挿入されたスライド金型２４がキーキャップ５の成形後に、キャビティ２６から離脱されることにより形成されるものである。
【００１６】
また、キーキャップ５の両側板１１，１２の下端中央部には、キートップ４に係脱される係止部としての係止爪１９が一体的に形成されている。キーキャップ５は、図３に示すようにキートップ４の側面部に係止爪１９を係止させて保持される。
【００１７】
図１１は、上記したキーキャップ５の成形金型２１を示す構成図で、図１２は、成形金型２１を異なる角度から示す構成図である。
【００１８】
成形金型２１は、固定金型２２と、上下動自在な可動金型２３と、横方向にスライド自在な第１のスライド金型（図１１に示す）２４と、前後方向にスライド自在な第２のスライド金型（図１２に示す）２５とによって構成されている。
【００１９】
キーキャップ５の成形時には、固定金型２２の注入路２２ａから溶融されたプラスチック材がキャビティ２６内に注入される。そして、この注入されたプラスチック材が固化してキーキャップ５が成形されると、その内側面にキーステッカー保持用の保持爪１５が一体的に形成される。この形成後、可動金型２３が上方へ退避されるとともに、第１及び第２のスライド金型２４，２５がそれぞれ外方に退避される。第１のスライド金型２４が退避されることにより、キーキャップ５の側壁面に穴部１７が形成され、第２のスライド金型２５が退避されることにより、スリット１４が形成される。こののち、キーキャップ５を金型から取り出す。
【００２０】
このように成形されるキーキャップ５の天井面からキーステッカー保持用の保持爪１５までの寸法ｈ２（図３に示す）は、穴部１７の縦寸法と等しく、キーステッカー６の厚さ寸法よりはやや大きくされている。
【００２１】
また、キーステッカー保持用の保持爪１５のキーステッカー６を保持する部分の係止量は微量とする。係止量が多過ぎるとキーステッカー６が入れ難くなり、また係止量が少な過ぎるとキーステッカー６を保持することが出来なくなるためである。
【００２２】
次に、キーキャップ５内にキーステッカー６を取り付ける場合について説明する。
【００２３】
この場合には、図１３に示すように、キーキャップ５を逆さまにしてキーステッカー６を上部側から矢印で示すように挿入し、その両側緑部を保持爪１５とキーキャップ５の天井面との間に嵌め込んで保持する。このようにキーステッカー６を保持したのち、キーキャップ５をキートップ４の上部側から嵌め込んで取り付ける。
【００２４】
また、キートップ４に取付けたキーキャップ５を取り外す場合には、キーキャップ５のスリット１４に指先を掛けて引き上げることにより、キーキャップ５をキートップ４から取り外す。
【００２５】
この取り外したキーキャップ５内からキーステッカー６を取り出す場合には、図１４に示すように、キーキャップ５を逆さまにしてキーステッカー６を指先により矢印で示す方法にずらせてスリット１４から取り出す。
【００２６】
上記したように、この実施の形態によれば、キーステッカー６を保持爪１５によって保持するため、キーキャップ５をキートップ４に嵌め込む際におけるキーステッカー６の脱落を防止できる。
【００２７】
また、キーキャップ５にキーステッカー取出用のスリット１４を形成するため、キーステッカー６をキーキャップ５の天井面に沿ってずらすだけでスリット１４から取り出すことができ、キーステッカー６の取出が容易になる。
【００２８】
さらに、キーキャップ５のスリット１４に指先を掛けて引き上げるだけで、キーキャップ５を取り外すことができ、工具を使わずに取り出すことが可能となる。
【００２９】
なお、上記した実施の形態で説明に使用した図は１x１uサイズ(単キー)の透明キーキャップであるが、これに限られることなく、１x２uサイズ(２連キー)、及び２x２uサイズ(４連キー)への対応も可能である。
【００３０】
また、この発明は、上述した実施の形態そのままに限定されるものではなく、実施段階ではその要旨を逸脱しない範囲で構成要素を変形して具体化できる。
【符号の説明】
【００３１】
２…操作面部、４…キートップ、５…キーキャップ、６…キーステッカ、８…天板（側壁）、９…正面板（側壁）、１０…背面板（側壁）、１１…側板（側壁）、１４…スリット、１５…保持爪（保持部）、１９…係止爪（係止部）。
【図１】
2012048965.tif 000003
【図２】
2012048965.tif 000004
【図３】
2012048965.tif 000005
【図４】
2012048965.tif 000006
【図５】
2012048965.tif 000007
【図６】
2012048965.tif 000008
【図７】
2012048965.tif 000009
【図８】
2012048965.tif 000010
【図９】
2012048965.tif 000011
【図１０】
2012048965.tif 000012
【図１１】
2012048965.tif 000013
【図１２】
2012048965.tif 000014
【図１３】
2012048965.tif 000015
【図１４】
2012048965.tif 000016